(57)【要約】【課題】袋体内に収容した内容物の温度を容易に判断できる嵌合具付き袋体を提供する。【解決手段】内容物を収容する袋本体２０と、袋本体２０の内面に取り付けられた嵌合具１０と、を有し、嵌合具１０は、袋本体２０に形成される開口部２６の縁に沿うように袋本体２０の対向する内面に取り付けられ、互いに着脱自在に嵌合する雄側嵌合部１３及び雌側嵌合部１４を有し、嵌合具１０の色が温度に依存して変化し、袋本体２０の外側から嵌合具１０の色の変化が判別できる、嵌合具付き袋体１。【選択図】図３
2014108784.tif 000002
【特許請求の範囲】
【請求項１】
内容物を収容する袋本体と、前記袋本体の内面に取り付けられた嵌合具と、を有し、
前記嵌合具は、前記袋本体に形成される開口部の縁に沿うように前記袋本体の対向する内面に取り付けられ、互いに着脱自在に嵌合する一対の嵌合部を有し、
前記嵌合具の色が温度に依存して変化し、前記袋本体の外側から前記嵌合具の色の変化が判別できる、嵌合具付き袋体。
【発明の詳細な説明】
【技術分野】
【０００１】
本発明は、嵌合具付き袋体に関する。
【背景技術】
【０００２】
食品、薬品等の様々な分野において、袋本体の開口部近傍の内面に、開口部を開閉自在に封じる嵌合具が取り付けられた嵌合具付き袋体が広く用いられている。嵌合具としては、例えば、一対の帯状の基材のそれぞれの対向面に、突条の雄側嵌合部及び該雄側嵌合部に着脱自在に嵌合する雌側嵌合部が、それら基材の長手方向に沿ってそれぞれ設けられた嵌合具が知られている（特許文献１）。嵌合具付き袋体においては、袋体の開口部近傍の内面に該開口部の縁に沿って嵌合具が取り付けられ、該嵌合具の雄側嵌合部と雌側嵌合部とを着脱することで、袋体の開口部を開閉自在に封じることができる。
【０００３】
一方、食品、薬品等の分野においては、保存時や使用時等における内容物の温度を制御する必要がある場合が多い。例えば、保存時においては冷蔵また冷凍保存が要求され、使用時には常温に戻して使用されるもの等が挙げられる。
このような場合、保存時間や、室温等で放置して常温に戻すための時間が長ければ、嵌合具付き袋体に収容した内容物の温度を判断することは比較的容易である。しかし、これらの時間が充分に長くない場合は、内容物の温度を判断することが難しい。また、嵌合具付き袋体の袋本体の材質によっても袋体内の温度変化の速度が変わることから、内容物の温度を直ちに判断することは難しい。
【先行技術文献】
【特許文献】
【０００４】
【特許文献１】特開２００３−１６０１４７号公報
【発明の概要】
【発明が解決しようとする課題】
【０００５】
本発明は、袋体内に収容した内容物の温度を容易に判断できる嵌合具付き袋体を提供する。
【課題を解決するための手段】
【０００６】
本発明の嵌合具付き袋体は、内容物を収容する袋本体と、前記袋本体の内面に取り付けられた嵌合具と、を有し、前記嵌合具は、前記袋本体に形成される開口部の縁に沿うように前記袋本体の対向する内面に取り付けられ、互いに着脱自在に嵌合する一対の嵌合部を有し、前記嵌合具の色が温度に依存して変化し、前記袋本体の外側から前記嵌合具の色の変化が判別できる。
【発明の効果】
【０００７】
本発明の嵌合具付き袋体は、袋体内に収容した内容物の温度を容易に判断できる。
【図面の簡単な説明】
【０００８】
【図１】本発明の嵌合具付き袋体の一例を示した正面図である。
【図２】図１の嵌合具付き袋体のＩ−Ｉ’断面図である。
【図３】図１の嵌合具付き袋体の開口部を開いた様子を示した斜視図である。
【発明を実施するための形態】
【０００９】
本発明の嵌合具付き袋体の一例を図１〜３に基づいて説明する。
本実施形態の嵌合具付き袋体１（以下、「袋体１」という。）は、図１及び図２に示すように、内容物を収容する袋本体２０と、袋本体２０の内面に取り付けられた嵌合具１０と、を有する。
【００１０】
嵌合具１０は、一対の帯状の第１の基材１１及び第２の基材１２を有している。第１の基材１１の対向面１１ａには、第１の基材１１の長手方向に沿って突条の雄側嵌合部１３が設けられている。第２の基材１２の対向面１２ａには、第２の基材１２の長手方向に沿って、雄側嵌合部１３と着脱自在に嵌合する雌側嵌合部１４が設けられている。
【００１１】
第１の基材１１の形状は、公知の嵌合具で通常用いられる帯状の形状であれば特に限定されない。
第１の基材１１としては、対向面１１ａ側から、耐熱層とヒートシール層が積層された積層フィルムが好ましい。また、第１の基材１１は、耐熱層とヒートシール層の間にバリア層を有していてもよい。
耐熱層を形成する樹脂材料としては、二軸延伸ナイロン、二軸延伸ポリプロピレン等が挙げられる。
ヒートシール層を形成する樹脂材料としては、直鎖状低密度ポリエチレン、無延伸ポリプロピレン、エチレン−酢酸ビニル共重合体、アイオノマー等が挙げられる。
バリア層を形成する樹脂材料としては、ポリビニルアルコール等が挙げられる。
【００１２】
第１の基材１１を形成する樹脂材料は、１種であってもよく、２種以上であってもよい。また、第１の基材１１には、必要に応じて安定剤、酸化防止剤、滑剤、帯電防止剤等の公知の添加剤が添加されていてもよい。
また、第１の基材１１は、積層フィルムからなる基材には限定されず、単層フィルムからなる基材であってもよい。
第２の基材１２としては、例えば、第１の基材１１と同じ基材が挙げられ、好ましい態様も同じである。
【００１３】
雄側嵌合部１３は、図２に示すように、第１の基材１１の対向面１１ａから立ち上がる幹部１３ａと、幹部１３ａの先端側に設けられ、幹部１３ａよりも大きい頭部１３ｂを有している。雌側嵌合部１４は、第２の基材１２の対向面１２ａから断面円弧状に立ち上がる一対の第１のアーム部１４ａと第２のアーム部１４ｂからなり、第１のアーム部１４ａと第２のアーム部１４ｂによって凹条１４ｃが形成されている。
雄側嵌合部１３と雌側嵌合部１４は、雄側嵌合部１３の頭部１３ｂを雌側嵌合部１４の凹条１４ｃに嵌め込むことで、着脱自在に嵌合できるようになっている。
【００１４】
雄側嵌合部１３及び雌側嵌合部１４の断面形状は、雄側嵌合部１３と雌側嵌合部１４を互いに着脱することで、袋本体の開口部の開閉が繰り返し行えるものであればよい。例えば、雌側嵌合部は、第２の基材１２の対向面１２ａから立ち上がる首部と、該首部から断面円弧状に立ち上がる一対のアーム部とを有し、それら一対のアーム部によって雄側嵌合部の頭部を嵌め込む凹条が形成される雌側嵌合部であってもよい。
雄側嵌合部１３及び雌側嵌合部１４の材質としては、例えば、第１の基材１１及び第２の基材１２で挙げたものと同じものが挙げられる。
【００１５】
嵌合具１０は、温度に依存して色が変化するようになっている。嵌合具１０は、袋本体２０の内面に取り付けられているため、嵌合具１０の色は袋本体２０内の温度が反映された色となる。これにより、嵌合具１０の色から、袋体１の袋本体２０内に収容された内容物の温度を容易に判断することができる。
嵌合具１０の色の変化は、嵌合具１０全体で色が変化するようにしてもよく、嵌合具１０の一部で色が変化するようにしてもよい。例えば、第１の基材１１及び第２の基材１２の色は変化せず、雄側嵌合部１３及び雌側嵌合部１４の色が変化するようにしてもよく、雄側嵌合部１３及び雌側嵌合部１４の色は変化せず、第１の基材１１及び第２の基材１２の色が変化するようにしてもよい。
嵌合具１０の色調は、袋体１の外側から色の変化が視認できる範囲であれば特に限定されない。
【００１６】
嵌合具１０の色を温度に依存して変化させる態様としては、嵌合具１０に、周囲の温度に感応して色が変わる感温変色性材料を含有させる態様が好ましい。
感温変色性材料は、嵌合具１０の全体に含有させてもよく、嵌合具１０の一部のみに含有させてもよい。例えば、嵌合具１０における第１の基材１１及び第２の基材１２のみに感温変色性材料を含有させてもよく、雄側嵌合部１３及び雌側嵌合部１４のみに感温変色性材料を含有させてもよい。また、第１の基材１１や第２の基材１２が積層フィルムである場合には、該積層フィルムの全ての層に感温変色性材料を含有させてもよく、一部の層のみに感温変色性材料を含有させてもよい。
【００１７】
感温変色性材料としては、例えば、電子供与性化合物（発色剤）と電子受容性化合物（顕色剤）とを含む混合物が挙げられる。該混合物では、温度変化に感応して結晶を形成し、電子供与性化合物と電子受容性化合物との間で電子の授受が起きて変色する。このような色の変化は、温度変化によって可逆的に起こる。
【００１８】
電子供与性化合物としては、特に限定されず、例えば、電子受容性化合物と反応して呈色する公知のロイコ化合物が挙げられる。具体的には、フルオラン類等が挙げられる。
電子受容性化合物としては、特に限定されず、例えば、ロイコ化合物から電子を受け取ることによって顕色させる公知の化合物が挙げられる。具体的には、ビスフェノール類等が挙げられる。
【００１９】
嵌合具１０の色を安定して可逆的に変化させるようにする点では、電子供与性化合物と電子受容性化合物を含む混合物がマイクロカプセル化されていることが好ましい。該混合物をマイクロカプセル化する方法は、公知の方法を採用できる。
【００２０】
嵌合具１０の全体に感温変色性材料を含有させる場合、嵌合具１０（１００質量％）中の感温変色性材料の含有量は、５〜４０質量％が好ましく、１０〜３０質量％が特に好ましい。前記感温変色性材料の含有量が下限値以上であれば、嵌合具１０の色を判別しやすく、袋体１内に収容した内容物の温度を判断しやすい。前記感温変色性材料の含有量が上限値以下であれば、充分な嵌合強度が得られやすい。
第１の基材１１に感温変色性材料を含有させる場合、第１の基材１１（１００質量％）中の感温変色性材料の含有量は、５〜４０質量％が好ましく、１０〜３０質量％が特に好ましい。第２の基材１２に感温変色性材料を含有させる場合の好ましい含有量は、第１の基材１１の場合と同様である。
雄側嵌合部１３に感温変色性材料を含有させる場合、雄側嵌合部１３（１００質量％）中の感温変色性材料の含有量は、５〜４０質量％が好ましく、１０〜３０質量％が特に好ましい。雌側嵌合部１４に感温変色性材料を含有させる場合の好ましい含有量は、雄側嵌合部１３の場合と同様である。
【００２１】
袋本体２０は、第１のフィルム材２１と第２のフィルム材２２が重ね合わされ、それらの周縁部２３が全てヒートシールされることで形成されており、密封された状態になっている。袋本体２０における嵌合具１０よりも上部側に、横方向に沿って切断補助線２４が設けられており、その端部にノッチ２５が形成されている。
【００２２】
袋体１は、ノッチ２５から切断補助線２４に沿って袋本体２０の上部を切断して除去することで、図３に示すように、上部に開口部２６を形成して開封することができる。袋体１では、袋本体２０の対向する内面に、開口部２６の縁に沿うように雄側嵌合部１３と雌側嵌合部１４が設けられるように嵌合具１０が取り付けられている。具体的には、図２に示すように、嵌合具１０の第１の基材１１の外面１１ｂが袋本体２０の第１のフィルム材２１に溶着され、嵌合具１０の第２の基材１２の外面１２ｂが袋本体２０の第２のフィルム材２２に溶着されている。
袋体１に形成した開口部２６は、嵌合具１０によって、開閉自在に封じることができる。
【００２３】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００２４】
袋本体２０は、袋本体２０の外側から嵌合具１０の色の変化が判別できるようになっている。具体的には、袋本体２０における少なくとも嵌合具１０が取り付けられている部分が透明になっている。袋本体２０は、全体が透明であってもよく、嵌合具１０が取り付けられている部分が透明で、その他の部分が着色されて不透明であってもよい。
【００２５】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
第１のフィルム材２１と第２のフィルム材２２は、シーラント層のみからなる単層フィルムであってもよい。
第１のフィルム材２１と第２のフィルム材２２は、嵌合具１０の色の変化を判別できる範囲であれば、着色剤等によって着色されていてもよい。
【００２６】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００２７】
ノッチ２５の形状は、この例では三角形状である。ノッチ２５の形状は、三角形状には限定されず、半円形状、直線状等であってもよい。
【００２８】
以上説明した嵌合具付き袋体にあっては、嵌合具の色が温度に依存して変化し、袋本体の外側から前記嵌合具の色の変化が判別できるようになっているため、袋体内の温度が反映された嵌合具の色から、収容した内容物の温度を容易に判断できる。
【００２９】
なお、本発明の嵌合具付き袋体は、本発明の効果を奏する範囲であれば袋体１には限定されない。
例えば、一対の嵌合部は、それぞれの基材に複数の雄側嵌合部が設けられ、それらを互いに嵌め込むことで、袋体の開口部を開閉するものであってもよい。また、それぞれの基材に１つ以上の雌側嵌合部が設けられ、それら雌側嵌合部同士を互いに嵌め込むことで、袋体の開口部を開閉するものであってもよい。
また、嵌合具は、基材を有さず、一対の嵌合部が袋本体の内面に直接形成されていてもよい。
また、袋本体も特に限定されず、嵌合具付き袋体の袋本体として知られる様々な形態の袋本体を採用できる。例えば、袋体１は切断補助線を利用して開口部を形成するまでは密封状態の袋体であったが、予め開口部が形成された袋本体を有する嵌合具付き袋体であってもよい。
【符号の説明】
【００３０】
１  嵌合具付き袋体
１０  嵌合具
１１  第１の基材
１２  第２の基材
１３  雄側嵌合部
１４  雌側嵌合部
２０  袋本体
２６  開口部
【図１】
2014108784.tif 000003
【図２】
2014108784.tif 000004
【図３】
2014108784.tif 000005